(57)【要約】【課題】  洗浄槽内に配置できる食器かごの数を多くできて、結果として一度に洗浄できる食器の量を多くできると共に、食器かごの使用形態を変化させることが可能で、使い勝手の向上を図る。【解決手段】  洗浄槽１４内の左右両側面にかご支え左４２及びかご支え右４４を設け、これらかご支え４２，４４間に位置させて、かご支え中４５を設ける。かご支え左４２とかご支え中４５との間に、上食器かご左７０及び食器かご中７１を配置可能に構成し、かご支え右４４とかご支え中４５との間に、上食器かご右７２を配置可能に構成する。洗浄槽１４内の下部には、下食器かご４０が配置可能である。この場合、全部で４個の食器かごを配置することができる。【選択図】  図１
2006000189.tif 000002
【特許請求の範囲】
【請求項１】
本体の内部に洗浄槽を備えた食器洗浄機において、
前記洗浄槽内の左右両側面とこれら左右両側面間の少なくとも１箇所に、それぞれかご支持部を有するかご支えを設けると共に、これら複数のかご支え間に前記かご支持部を介して食器かごを配置可能に構成したことを特徴とする食器洗浄機。
【請求項２】
前記かご支持部は、前後方向に延びる突条部を有すると共に、その突条部の前部は開口されていて、前記かご支持部に支持される食器かごは、前記突条部に係合する係合凸部を有することを特徴とする請求項１記載の食器洗浄機。
【請求項３】
前記係合凸部の前部に閉塞部を設けたことを特徴とする請求項２記載の食器洗浄機。
【請求項４】
食器かごは手前側に手掛け部を有し、その手掛け部の上部壁に、上下方向に連通する開口部を設けたことを特徴とする請求項１記載の食器洗浄機。
【請求項５】
対向する２箇所のかご支え間に、形状が異なる食器かごを少なくとも上下２段に配置可能な構成としたことを特徴とする請求項１記載の食器洗浄機。
【請求項６】
洗浄槽内の左右両側面間に配置されたかご支えは、左右両側面にそれぞれかご支持部を有することを特徴とする請求項１記載の食器洗浄機。
【請求項７】
前記洗浄槽内の左右両側面間に配置されたかご支えの左右両側面のかご支持部は、高さ方向に千鳥状に配置されていることを特徴とする請求項６記載の食器洗浄機。
【請求項８】
洗浄槽内の左右両側面間に配置されたかご支えは、左右方向に連通する開口部を有することを特徴とする請求項１記載の食器洗浄機。
【請求項９】
洗浄槽内の左右両側面間に配置されたかご支えの左右両側に配置される食器かごは、左右に入れ替えて配置することが可能な構成であることを特徴とする請求項１記載の食器洗浄機。
【請求項１０】
かご支えは、洗浄槽とは別部材にて構成したことを特徴とする請求項１記載の食器洗浄機。
【請求項１１】
かご支えを洗浄槽に取り付けるための取付ねじは、すべて洗浄槽の内部から締付ける構成としたことを特徴とする請求項１０記載の食器洗浄機。
【請求項１２】
洗浄槽は内部にステンレス製の槽飾りを有し、前記洗浄槽に対する前記槽飾りの固定を、前記洗浄槽に対する前記かご支えの固定と兼ねる構成としたことを特徴とする請求項１０記載の食器洗浄機。
【請求項１３】
かご支持部には、水の滞留を防止する傾斜をつけたことを特徴とする請求項１記載の食器洗浄機。
【請求項１４】
本体の内部に洗浄槽を備えた食器洗浄機において、
前記洗浄槽内に少なくとも上下２段に配置される食器かごと、
前記洗浄槽に洗浄用の水を前記洗浄槽の上部へ導くように設けられ、上部に給水口を有する上部ノズルと、
前記食器かごのうち上部側に配置される食器かごに設けられ、前記給水口に着脱可能に接続される接続口、水を噴射する噴射口、及び前記給水口から前記接続口へ供給された水を前記噴射口に案内する水案内路を有したかご用水案内部と、
前記給水口を開閉するように設けられ、前記接続口が前記給水口に接続された状態では前記給水口を開放し、前記接続口が前記給水口から離脱した状態では前記給水口を閉鎖する弁手段とを具備したことを特徴とする食器洗浄機。
【請求項１５】
前記かご用水案内部の前記接続口は、前記食器かごの後部のほぼ中央部に配置されていることを特徴とする請求項１４記載の食器洗浄機。
食器洗浄機。
【請求項１６】
前記給水口及び接続口の少なくともどちらか一方に、それらの接続を案内する接続案内部を設けたことを特徴とする請求項１４または１５記載の食器洗浄機。
【請求項１７】
前記かご用水案内部の前記水案内路は、食器かごの本体部側に設けられた溝部と、この溝部の開口部を閉鎖する蓋部材とから構成したことを特徴とする請求項１４記載の食器洗浄機。
【請求項１８】
前記給水口に前記接続口が接続している状態で、前記水案内部を有する食器かごが移動することを規制するかご移動防止手段を設けたことを特徴とする請求項１４記載の食器洗浄機。
【請求項１９】
前記かご移動防止手段は、食器かごに設けられた係合突起と、この食器かごを支持するかご支えに設けられた係合突起との係合により構成されていることを特徴とする請求項１８記載の食器洗浄機。
【請求項２０】
前記蓋部材は前記食器かごの本体部の下面側に配置され、前記蓋部材には、下方に向かって開口した排水口が設けられていることを特徴とする請求項１７記載の食器洗浄機。
【請求項２１】
前記蓋部材の内面は、前記排水口に向かって下降傾斜していることを特徴とする請求項２０記載の食器洗浄機。
【請求項２２】
食器かごは手前側に手掛け部を有すると共に、その手掛け部の前面に飾り板を有し、この飾り板は、前記手掛け部に対して、長辺側の一辺に設けられた引掛け片を引っ掛けると共に、他辺側に設けられた折曲げ片を折り曲げることにより取り付ける構成とし、前記手掛け部には、前記折曲げ片の近傍に位置させてリブを設けたことを特徴とする請求項１または１４記載の食器洗浄機。
【発明の詳細な説明】
【技術分野】
【０００１】
本発明は、洗浄槽内に複数個の食器かごを備えた食器洗浄機に関する。
【背景技術】
【０００２】
従来、家庭用の食器洗浄機においては、洗浄槽内に、食器を載置する食器かごが出し入れ可能に配置されている。その食器かごの数としては、上下２段の２個が一般的であった（例えば、特許文献１参照）。
【特許文献１】特開２０００−１５７４８１号公報（図３、図４）
【発明の開示】
【発明が解決しようとする課題】
【０００３】
従来では、食器かごの数が少ないため、結果として一度に洗浄できる食器の量を多くできないと共に、使い勝手が悪い場合がある。
また、一般に洗浄水を噴射する噴射ノズルは、洗浄槽の下部に配置されているため、上部に配置される食器かごに載置される食器に対する洗浄性能が低くなり易いという欠点もある。
【０００４】
本発明は上記事情に鑑みてなされたものであり、その第１の目的は、洗浄槽内に配置できる食器かごの数を多くできて、結果として一度に洗浄できる食器の量を多くできると共に、食器かごの使用形態を変化させることが可能で、使い勝手を向上できる食器洗浄機を提供することにある。また、第２の目的は、上部に配置される食器かごに載置される食器に対する洗浄性能を向上できる食器洗浄機を提供することにある。
【課題を解決するための手段】
【０００５】
上記した第１の目的を達成するために、請求項１の発明は、本体の内部に洗浄槽を備えた食器洗浄機において、前記洗浄槽内の左右両側面とこれら左右両側面間の少なくとも１箇所に、それぞれかご支持部を有するかご支えを設けると共に、これら複数のかご支え間に前記かご支持部を介して食器かごを配置可能に構成したことを特徴とする。
【０００６】
また、上記した第２の目的を達成するために、請求項１４の発明は、本体の内部に洗浄槽を備えた食器洗浄機において、前記洗浄槽内に少なくとも上下２段に配置される食器かごと、前記洗浄槽に洗浄用の水を前記洗浄槽の上部へ導くように設けられ、上部に給水口を有する上部ノズルと、前記食器かごのうち上部側に配置される食器かごに設けられ、前記給水口に着脱可能に接続される接続口、水を噴射する噴射口、及び前記給水口から前記接続口へ供給された水を前記噴射口に案内する水案内路を有したかご用水案内部と、前記給水口を開閉するように設けられ、前記接続口が前記給水口に接続された状態では前記給水口を開放し、前記接続口が前記給水口から離脱した状態では前記給水口を閉鎖する弁手段とを具備したことを特徴とする。
【発明の効果】
【０００７】
請求項１の食器洗浄機によれば、洗浄槽内の左右両側面のかご支えと、これら左右両かご支え間の少なくとも１箇所のかご支えとがあるので、これらのかご支え間に少なくとも２個の食器かごを配置することができると共に、洗浄槽の下部に少なくとも１個の食器かごを配置することができ、したがって、少なくとも３個の食器かごを配置することができる。このため、食器かごを上下２段の２個のみの場合に比べて、洗浄槽内に配置できる食器かごの数を多くすることができて、結果として一度に洗浄できる食器の量を多くできる。また、使用する食器かごの数や配置を変化させることで、使い勝手の向上も図ることができる。
【０００８】
請求項１４の食器洗浄機によれば、上部側の食器かごを洗浄槽内の上部に配置し、かご用水案内部の接続口を上部ノズルの給水口に接続すると、弁手段が開放状態となる。この状態で上部ノズルに水が供給されると、その水はかご用水案内部の水案内路を通して噴射口から噴射される。その噴射口から噴射される水が、上部側の食器かごに載置された食器に対して掛けられることで、上部の食器かごに載置される食器が良好に洗浄される。したがって、上部の食器かごに載置される食器に対する洗浄性能を向上できる。
【発明を実施するための最良の形態】
【０００９】
以下、本発明の一実施形態について図面を参照して説明する。
まず、本発明の食器洗浄機の外観を示す図２及び図３において、食器洗浄機の本体１は、前面に開口部２を有した矩形箱状をなしており、外殻が外箱３により形成され、前下部に前下部カバー４を有している。本体１の前面には、開口部２を開閉するための扉体５が設けられている。扉体５は、複数、この場合下部側の下扉体６と上部側の上扉体７との２個の扉体により構成されていて、これら下扉体６と上扉体７は、図示しないリンク機構によって連動するように連結されている。
【００１０】
このうち下扉体６は、下端部の左右両側で本体１に対して回動可能に軸支されており、下方への回動によって開口部２の下部を開放する構成となっている。この下扉体６の左右両側には、ロック手段を構成する係止爪８が設けられている。この係止爪８は、本体１側に設けられた図示しない被係止部に係止することにより、下扉体６を、本体１に対して閉鎖状態にロックするものである。下扉体６の前面部には、左右方向の中央部の上部に位置させて、左右方向に延びる開ボタン９が押圧操作可能に設けられている。上記係止爪８が被係止部に係止した状態で、上記開ボタン９が押圧操作されると、係止爪８による係止が解除されるようになっている。
【００１１】
また、下扉体６の前面部には、上記開ボタン９の下方に位置させて、窓部１０が設けられている。この窓部１０の前部を構成する透明部材１１の奥側に、洗浄運転に係る設定を行うための複数の操作部１２及び表示部１３が設けられている。この場合、下扉体６の閉鎖状態で、外部から上記窓部１０を通して本体１内の洗浄槽１４内が透視可能となっている。
【００１２】
これに対して、上扉体７は、外箱３上部に摺動及び回動可能に支持されていて、当該上扉体７の左右両端部に設けられた支軸７ａ（図３参照）が、本体１の上部に形成されたガイド溝１５に沿って摺動することにより、閉鎖状態から本体１上方へ移動して開放状態となる構成となっている。上扉体７のほぼ中央部には排気口１６が設けられている。
また、下扉体６と上扉体７とを連結する上記リンク機構は、下扉体６及び上扉体７を開放する向きに図示しないばねによって付勢されている。ここで、扉体５の閉鎖状態で上記開ボタン９が押圧操作されると、前記係止爪８が被係止部から解放され、ばねの付勢力によって自動的に下扉体６は下方に向けて回動されると共に、上扉体７は支軸が摺動して上方へ移動する。そして、さらに下扉体６を押し下げることにより、両扉体６，７、したがって扉体５は開放状態となる。下扉体６は、開放状態でほぼ水平状態となる（図３参照）。
【００１３】
洗浄槽１４の内部には、ステンレス製の槽飾り１７が配置されている。この槽飾り１７は、上面から見て前面が開口したコ字形をなしていて、洗浄槽１４内の左右両側面と後面に配置されている。洗浄槽１４内の下部の左右両側には、２個の噴射ノズル２０，２１が回転可能に配設されていて、各噴射ノズル２０，２１は複数の噴射口２０ａ，２１ａを有している。また、洗浄槽１４の後部の左側には、図４にも示すように、上部ノズル２３が、前方から取付ねじ２４により槽飾り１７を介して取り付けられている。
【００１４】
この上部ノズル２３は、内部を通水路としていて、上下方向に延びると共に、上部及び中間部に複数の分岐部２３ａを有している。分岐部２３ａのうち、上部の右側の分岐部２３ａは、洗浄槽１３の右側面近くまで延びている。各分岐部２３ａには、噴射口２５が設けられている。また、上部ノズル２３の上部には、給水口２６が設けられている。この上部ノズル２３、及び上記噴射ノズル２０，２１は、洗浄槽１４の底部に設けられた配管２７（図１及び図４参照）に接続されている。配管２７には、図示しないポンプから水が供給されるようになっていて、その供給された水が、それら上部ノズル２３及び噴射ノズル２０，２１に分配されて供給されるようになっている。
【００１５】
ここで、噴射ノズル２０，２１は、ポンプから供給された洗浄水を噴射口２０ａ，２１ａから上方に向けて噴射しながら回転し、その噴射した洗浄水で、後述する食器かごに載置された食器類の汚れを落とすためのものである。また、上部ノズル２３は、同じくポンプから供給された洗浄水を噴射口２５から前上方に向けて噴射し、その噴射した洗浄水で、後述する食器かごに載置された食器類の汚れを落とすためのものである。なお、図示はしないが、本体１の内部には、ヒータやファンも配設されている。ヒータは、洗浄行程及びすすぎ行程時の洗浄水の加熱に供すると共に、乾燥行程時に温度を上昇させ、ファンによって乾燥風を食器等に吹き付けて乾燥に供するものである。
【００１６】
上記給水口２６部分について、主に図９を参照して説明する。給水口２６は、上部ノズル２３に設けられた円筒部３０の外周部に、軸方向に移動可能に嵌合されている。給水口２６には、円筒部３０内に配設された弁手段を構成する弁部材３１が、当該給水ノズル２６と一体に移動可能に連結されている。円筒部３０の内部には環状のばね受け部３２が設けられていて、このばね受け部３２と給水口２６との間に、付勢手段を構成する圧縮コイルばね３３が配設されている。弁部材３１は、ばね受け部３２の内側に形成された通水口３４、ひいては給水口２６を開閉する構成となっている。
【００１７】
給水口２６が前方から押圧されていない状態では、図９に示すように、圧縮コイルばね３２の付勢力により給水口２６が前方へ移動すると共に、弁部材３１が前方へ移動して通水口３４を閉鎖している。この状態では給水口２６は閉鎖され、上部ノズル２３からの水は、給水口２６からは出ない。後述するように、給水口２６と共に弁部材３１が後方へ押圧移動されると、通水口７４が開放されるようになる（図８及び図１０参照）。
【００１８】
上記洗浄槽１４内の下部には、図１、図５に示すように、上記噴射ノズル２０，２１の上方に位置させて、下食器かご４０がガイド部４１を介して前後方向にスライド可能に配置されている。
そして、図１、図３、図４に示すように、洗浄槽１４内の左側面の上部には、かご支え左４２が取付ねじ４３により取り付けられ、洗浄槽１４内の右側面の上部には、かご支え右４４が取付ねじ４３により取り付けられ、さらに、洗浄槽１４内の左右両側面間の上部の１箇所に、かご支え中４５が取付ねじ４３により取り付けられている。これら３個のかご支え４２，４４，４５は、それぞれ取付ねじ４３により、洗浄槽１４の内部、特には前方から、槽飾り１７と共に洗浄槽１４に固定されている。この場合、かご支え左４２とかご支え中４５との間の幅寸法は、かご支え右４４とかご支え中４５との間の幅寸法よりもやや大きく設定されている。
【００１９】
これらのうち、まず、かご支え左４２について、主に図１１及び図１２を参照して説明する。かご支え左４２の右側面（かご支え中４５側の面）には、前後方向に延びるかご支持部５０が上下方向に３段設けられている。各かご支持部５０は、右方向へ突出して前後方向に延びる横片部５１と、横片部５１から上方に向けて突出して前後方向に延びる突条部５２を有する断面Ｌ字状をなしている。各かご支持部５０の前部は開口され、また、各突条部５２は、前後方向の中間部で途切れている。かご支え左４２の側壁において、突条部５２に対応する部分には開口部５３が形成されている。横片部５１の上面は、水が滞留することを防止するために左方向に下降傾斜している。また、各かご支持部５０の前部には、窪み部５４が形成されている。最上段のかご支持部５０の横片部５１における前部に、係合突起５５が設けられている。
【００２０】
次に、かご支え右４４について、主に図１３及び図１４を参照して説明する。かご支え右４４の左側面（かご支え中４５側の面）にも、かご支え左４２と同様な前後方向に延びるかご支持部６０が上下に２段設けられている。各かご支持部６０は、左方向へ突出して前後方向に延びる横片部６１と、横片部６１から上方に向けて突出して前後方向に延びる突条部６２を有する断面Ｌ字状をなしている。各かご支持部６０の前部は開口され、また、各突条部６２は、前後方向の中間部で途切れている。かご支え左４４の側壁において、突条部６２に対応する部分には開口部６３が形成されている。横片部６１の上面は、水が滞留することを防止するために右方向に下降傾斜している。また、各かご支持部６０の前部には、窪み部６４が形成されている。
【００２１】
次に、かご支え中４５について、主に図１５〜図１８を参照して説明する。かご支え中４５の左側面には、上記かご支え左４２と同様に、前後方向に延びるかご支持部５０が上下方向に３段設けられている。各かご支持部５０は、左方向へ突出して前後方向に延びる横片部５１と、横片部５１から上方に向けて突出して前後方向に延びる突条部５２を有する断面Ｌ字状をなしている。各かご支持部５０の前部は開口され、また、各突条部５２は、前後方向の中間部で途切れている。横片部５１の上面は、水が滞留することを防止するために右方向に下降傾斜している。また、各かご支持部５０の前部には、窪み部５４が形成されている。最上段のかご支持部５０の横片部５１における前部に、係合突起５５（図１７参照）が設けられている。
【００２２】
かご支え４５の右側面には、上記かご支え右４４と同様に、前後方向に延びるかご支持部６０が上下に２段設けられている。各かご支持部６０は、右方向へ突出して前後方向に延びる横片部６１と、横片部６１から上方に向けて突出して前後方向に延びる突条部６２を有する断面Ｌ字状をなしている。各かご支持部６０の前部は開口され、また、各突条部６２は、前後方向の中間部で途切れている。横片部６１の上面は、水が滞留することを防止するために左方向に下降傾斜している。また、各かご支持部６０の突条部６２の前部には、窪み部６４が形成されている。
【００２３】
ここで、かご支え中４５において、左側面の３段のかご支持部５０と、右側面の２段のかご支持部６０とは、高さ方向に互い違いとなるように千鳥状に配置されている（図７参照）。また、このかご支え中４５において、各かご支持部５０，６０に対応する部分に左右方向に連通する開口部５３，６３が形成されている。また、かご支え中４５の上部にも、左右方向に連通する開口部６６が形成されている。
【００２４】
そして、かご支え左４２とかご支え中４５との間には、上食器かご左７０と、食器かご中７１とが上下２段に配置されるようになっている。また、かご支え右４４とかご支え中４５との間には、上食器かご右７２が配置されるようになっている。
これらのうち、まず、上食器かご左７０について、主に図１９〜図２５を参照して説明する。上食器かご左７０はほぼ矩形状をなしていて、左右両側部の上部に、下向きに突出する係合凸部７５（図６、図７も参照）が設けられている。上食器かご左７０は、これら左右の係合凸部７５を、かご支え左４２のかご支持部５０の突条部５２と、かご支え中４５の左側面におけるかご支持部５０の突条部５２とに係合させることにより、かご支え左４２とかご支え中４５との間に前後方向にスライド可能な状態で配置されるようになっている。左右の係合凸部７５の前部には、下方へ突出する係合突起７６が設けられていると共に、前端部に閉塞部７７が設けられている。
【００２５】
上食器かご左７０の後部には、かご用水案内部８０が設けられている。このかご用水案内部８０は、上食器かご左７０の後部の中央部に設けられた接続口８１と、この接続口８１から３本に分岐した水案内路８２と、各水案内路８２に設けられた複数の噴射口８３とを備えている。このうち、接続口８１の内面は、後方に向けてラッパ状に開口する接続案内部８４となっていて、上食器かご左７０を、かご支え左４２とかご支え中４５との間の最上段のかご支持部５０に配置した状態で、接続口８１が、前記上部ノズル２３の給水口２６に接続されるようになっている（図８参照）。
【００２６】
水案内路８２は、上食器かご左７０の本体部に下面が開口するように設けられた溝部８５と、本体部の下面側に配置されて前記溝部８５を下方から覆うように設けられた蓋部材８６とから中空状に形成されている。蓋部材８６には、後部側に位置させて下方に向かって開口した排水口８７が設けられていて、蓋部材８６の内面は、その排水口８７に向かって下降傾斜している（図２１参照）。
【００２７】
ここで、上食器かご左７０を、かご支え左４２とかご支え中４５との間の最上段のかご支持部５０に配置し、接続口８１が、前記上部ノズル２３の給水口２６に接続されると、図８に示すように、給水口２６が圧縮コイルばね３３の付勢力に抗して後方へ移動すると共に、弁部材３１が後方へ移動して通水口３４が開放される。この状態で、水が上部ノズル２３の給水口２６へ供給されると、その水がかご用水案内部８０の水案内路８２を通り、各噴射口８３から噴射されるようになる。
【００２８】
このとき、上食器かご左７０の左右の係合突起７６が、かご支持部５０の係合突起５５に係合することにより（図８参照）、上食器かご左７０の前方への移動が規制される。ここで、これら上食器かご左７０の係合突起７６とかご支持部５０の係合突起５５により、上食器かご左７０の前方への移動を規制するかご移動防止手段を構成している。
また、上食器かご左７０の前部には、左右方向に渡って手掛け部９０が一体に設けられている。この手掛け部９０は、上部壁９１を介して上食器かご左７０の本体部に連なっていて、その上部壁９１に、上下方向に連通する複数の開口部９２が形成されている。手掛け部９０の前面部には、左右方向に長い矩形状の飾り板９３が装着されている。この飾り板９３は、図２３に示すように、長辺側の一辺である上辺部に、引掛け孔９４を有する複数の引掛け片９５を有すると共に、長辺側の他辺である下辺部に折曲げ片９６を有していて、図２４の（ａ）〜（ｄ）に示すようにて取り付けられている。
【００２９】
すなわち、まず、上辺部の各引掛け片９５を、手掛け部９０に形成された挿入孔９７に挿入して、引掛け孔９４を、挿入孔９７の奥に設けられた凸部９８に係合させる。この後、下縁部の各折曲げ片９６を、手掛け部９０に形成された挿入孔９９に挿入し、各折曲げ片９６の先端部９６ａを上方に折り曲げる。このようにして、飾り板９３が手掛け部９０に取り付けられている。手掛け部９０の内側には、図２５に示すように、折曲げ片９６の先端部９６ａの左右両側に位置するように、リブ１００が設けられている。このリブ１００は、手掛け部９０に手指を掛けた際に、手指が折曲げ片９６の先端部９６ａに触れ難くするためである。
【００３０】
次に、食器かご中７１について、主に図２６及び図２７を参照して説明する。食器かご中７１は、上食器かご左７０よりも深い矩形状に形成されていて、左右両側部の上部に、下向きに突出する係合凸部１０５（図６、図７も参照）が設けられている。食器かご中７１は、これら左右の係合凸部１０５を、かご支え左４２のかご支持部５０の突条部５２と、かご支え中４５の左側面におけるかご支持部５０の突条部５２とに係合させることにより、かご支え左４２とかご支え中４５との間に前後方向にスライド可能な状態で配置されるようになっている。左右の係合凸部１０５の前端部に、閉塞部１０６が設けられている。また、この食器かご中７１の前部にも、上食器かご左７０と同様な手掛け部９０が設けられていると共に、開口部９２が形成され、さらに、この手掛け部９０に飾り板９３が取り付けられている。
【００３１】
次に、上食器かご右７２について、主に図２８及び図２９を参照して説明する。上食器かご右７２は、上食器かご左７０とほぼ同様な深さの矩形状をなしていて、左右両側部の下部に、下向きに突出する係合凸部１１０（図６、図７も参照）が設けられている。上食器かご右７２は、これら左右の係合凸部１１０を、かご支え右４４のかご支持部６０の突条部６２と、かご支え中４５の右側面におけるかご支持部６０の突条部６２とに係合させることにより、かご支え右４４とかご支え中４５との間に前後方向にスライド可能な状態で配置されるようになっている。左右の係合凸部１１０の前端部にも閉塞部１１１が設けられている。また、この食器かご中７２の前部にも、上食器かご左７０と同様な手掛け部９０が設けられていると共に、開口部９２が形成され、さらに、この手掛け部９０に飾り板９３が取り付けられている。この場合、上食器かご右７２の左右方向の幅寸法は、上食器かご左７０及び食器かご中７１の幅寸法よりもやや小さく設定されている。
【００３２】
上記した構成において、食器を洗浄する場合には、例えば図１に示すように、下食器かご４０は洗浄槽１４内の下部に配置し、上食器かご左７０は、かご支え左４２とかご支え中４５の最上段のかご支持部５０に支持させて配置し、食器かご中７１は、かご支え左４２とかご支え中４５の最下段のかご支持部５０に支持させて配置し、そして、上食器かご右７２は、かご支え右４４とかご支え中４５の下段のかご支持部６０に支持させて配置する。このうち、下食器かご４０には皿や茶碗などを載置し、上食器かご左７０及び上食器かご右７２には湯飲みなどを載置し、食器かご中７１には、湯飲みより高さが高いコップなどを載置する。
【００３３】
なお、上食器かご左７０及び食器かご中７１は、かご支え左４２とかご支え中４５のかご支持部５０であればどの段にも配置でき、また、上食器かご右７２は、かご支え右４３とかご支え中４５のかご支持部６０であれば、どの段にも配置できる。
そして、ポンプにより洗浄水が、下部の噴水ノズル２０，２１に供給されると共に、上部ノズル２３に供給されると、噴水ノズル２０，２１の噴射口２０ａ，２１ａから洗浄水が噴射されると共に、上部ノズル２３の噴射口２５からも洗浄水が噴射され、この洗浄水により、各食器かご４０，７０，７１，７２に載置された食器類が洗浄される。また、このとき、上食器かご左７０を、かご支え左４２とかご支え中４５の最上段のかご支持部５０に支持させて配置している場合には、上部ノズル２３内の洗浄水が、給水口２６を通して上食器かご左７０のかご用水案内部８０へも供給され、各噴射口８３からも噴射されるようになり、その洗浄水により主に上食器かご左７０に載置された食器類が洗浄される。
【００３４】
上記した実施形態によれば、次のような作用効果を得ることができる。
まず、洗浄槽１４内の左右両側面にかご支え左４２及び右４４を設けると共に、これら左右両かご支え４２，４４間にかご支え中４５を設けた構成となっているので、これらのかご支え４２，４４，４５間に少なくとも２個の食器かご（本実施形態では３個の食器かご７０，７１，７２）を配置することができると共に、洗浄槽１４の下部に少なくとも１個の下食器かご４０を配置することができ、したがって、少なくとも３個（本実施形態では４個）の食器かごを配置することができる。このため、食器かごを上下２段の２個のみの場合に比べて、洗浄槽１４内に配置できる食器かごの数を多くすることができて、結果として一度に洗浄できる食器の量を多くできる。また、使用する食器かごの数や配置を変化させることで、使い勝手の向上も図ることができる。
【００３５】
かご支え左４２とかご支え中４５との間には、上食器かご左７０と食器かご中７１を上下２段に配置可能な構成としているので、食器かごの数を一層多くできて、一度に洗浄できる食器の量を一層多くできると共に、一層使い勝手も向上できる。しかも、上食器かご左７０と食器かご中７１は、深さを異ならせて形状を異ならせているので、食器の形状に適した食器かごを使用することで、使い勝手を一層向上できる。
【００３６】
各かご支え４２，４４，４５のかご支持部５０，６０は、それぞれ前後方向に延びる突条部５２，６２を有すると共に、各突条部５２，６２の前部は開口されていて、これらかご支持部５０，６０に支持される食器かご７０，７１，７２は、突条部５２，６２に係合する係合凸部７５，１０５，１１０を有する構成となっているので、各食器かご７０，７１，７２は、各突条部５２，６２の開口を通して出し入れが自在にできる。また、各かご支え４２，４４，４５のかご支持部５０，６０における横片部５１，６１の上面には傾斜をつけているので、そこに水が滞留することを防止できる。
【００３７】
各食器かご７０，７１，７２の係合凸部７５，１０５，１１０の前部に閉塞部７７，１０６，１１１を設けているので、それら閉塞部７７，１０６，１１１は、各食器かご７０，７１，７２の後方へのストッパになると共に、係合凸部７５，１０５，１１０の補強にもなる。
各食器かご７０，７１，７２の前部における手掛け部９０の上部壁９１に、上下方向に連通する開口部９２を形成しているので、洗浄時に洗浄水がその開口部９２を通して通り抜け易くなり、洗浄性能を向上できる。
【００３８】
かご支え中４５は、左右両側面にかご支持部５０，６０を有する構成としているので、部品点数の増加を抑えることができる。また、かご支え中４５の左右両側面のかご支持部５０，６０は、高さ方向に千鳥状に配置しているので、成形時の型抜きが容易にでき、成形し易い。さらに、かご支え中４５には、左右方向に連通する開口部５３，６３，６６を形成しているので、洗浄時に洗浄水がその開口部５３，６３，６６を通して通り抜け易くなり、洗浄性能を向上できる。
【００３９】
各かご支え４２，４４，４５は、洗浄槽１４とは別部材で構成しているので、かご支え４２，４４，２５の破損時に、破損したものだけを交換すればよく、修理が容易にできる。また、各かご支え４２，４４，４５を洗浄槽１１に取り付けるための取付ねじ４３は、すべて洗浄槽１４の内部から締付ける構成としているので、かご支え４２，４４，４５を修理や交換をする際の作業が容易にできる。さらに、洗浄槽１４内にはステンレス製の槽飾り１７を配置し、洗浄槽１４に対する槽飾り１７の固定を、洗浄槽１４に対する各かご支え４２，４４，４５の固定と兼ねる構成としたので、ねじの数を少なくできると共に、ねじ締め箇所を少なくできる。
【００４０】
上食器かご左７０をかご支え左４２とかご支え中４５の最上段のかご支持部５０に支持させて配置し、この上食器かご左７０の接続口８１を上部ノズル２３の給水口２６に接続すると、弁部材３１が開放状態となる。この状態で上部ノズル２３に水が供給されると、その水はかご用水案内部８０の水案内路８２を通して噴射口８３から噴射される。その噴射口８３から噴射される水が、上食器かご左７０に載置された食器に対して掛けられることで、食器が良好に洗浄される。したがって、洗浄槽１４内の上部に配置された上食器かご左７０に載置される食器に対する洗浄性能を向上できる。
【００４１】
給水口２６に接続される接続口８１は、上食器かご左７０の後部の中央部に配置しているので、給水口２６に対する接続口８１の接続が行い易い。接続口８１には、後方に向けてラッパ状に開口する接続案内部８４を設けているので、給水口２６に対する接続口８１の接続が一層行い易くなる。なお、その接続案内部８４は、接続口８１に代えて、給水口２６側に設けることもできる。
【００４２】
接続口８１を給水口２６に接続した状態で、上食器かご左７０の左右の係合突起７６が、かご支持部５０の係合突起５５に係合することにより、上食器かご左７０の前方への移動が規制される構成となっているので、接続口８１と給水口２６との接続状態を良好に維持することができる。
上食器かご左７０のかご用水案内部８０における水案内路８２は、上食器かご左７０の本体部に設けられた溝部８５と、この溝部８５を下方から覆う蓋部材８６とから構成したので、水案内路８２を良好に形成することができる。蓋部材８６には、下方に向かって開口した排水口８７を形成しているので、水案内路８２内の残水を排水口８７から排出することができる。また、蓋部材８６の内面は、排水口８７に向かって下降傾斜しているので、水案内路８２内の残水を一層効率よく排出することができる。
【００４３】
各食器かご７０，７１，７２の手掛け部９０に飾り板９３を有していて、この飾り板９３は、手掛け部９０に対して、上辺部に設けられた引掛け片９５を引っ掛けると共に、下辺部に設けられた折曲げ片９６を折り曲げることにより取り付ける構成としているので、ねじなどの別部品を用いることなく容易に取り付けることができる。しかも、手掛け部９０には、折曲げ片９６の先端部９６ａの両側に位置するリブ１００を設けたことにより、手掛け部９０に手指を掛けた際に、手指が折曲げ片９６の先端部９６ａに触れ難くできる。
【００４４】
上記した実施形態において、かご支え左４２とかご支え中４５との間の幅寸法と、かご支え右４４とかご支え中４５との間の幅寸法とを同じに設定し、左側に配置される食器かご７０，７１と、右側に配置される食器かご７２とを左右に入れ替えて配置できる構成とすることもできる。
本発明は、上記した実施形態にのみ限定されるものではなく、次のように変形または拡張できる。
左右のかご支え４２，４４の間に配置されるかご支えは、１個に限られず、２個以上でも良い。２個以上の場合、それらのかご支え間にも食器かごを配置するようにしても良い。
【図面の簡単な説明】
【００４５】
【図１】本発明の一実施形態を示すもので、食器かごの配置状態を示す破断正面図
【図２】食器洗浄機全体の外観斜視図
【図３】扉体を開放し、かつ内部の食器かごを取り除いた状態で示す外観斜視図
【図４】食器かごを取り除いた状態で示す洗浄槽の破断正面図
【図５】食器かごの配置状態を示す縦断側面図
【図６】かご支えと食器かごを抜き出して示す縦断正面図
【図７】かご支え中と各食器かごとの係合部分を示す拡大縦断正面図
【図８】上食器かご左の接続口を給水口に接続した状態での縦断側面図
【図９】弁閉鎖状態での給水口部分の拡大縦断側面図
【図１０】弁開放状態での給水口部分の拡大縦断側面図
【図１１】かご支え左の斜視図
【図１２】かご支え左の右側面図
【図１３】かご支え右の斜視図
【図１４】かご支え右の左側面図
【図１５】かご支え中の左前方からの斜視図
【図１６】かご支え中の右前方からの斜視図
【図１７】かご支え中の左側面図
【図１８】かご支え中の右側面図
【図１９】上食器かご左の斜視図
【図２０】上食器かご左の右側面図
【図２１】上食器かご左の中央縦断側面図
【図２２】蓋部材の上面側からの斜視図
【図２３】手掛け部の飾り板の斜視図
【図２４】（ａ）〜（ｄ）は飾り板の取付手順を説明するための縦断側面図
【図２５】手掛け部部分の裏面図
【図２６】食器かご中の斜視図
【図２７】食器かご中の右側面図
【図２８】上食器かご右の斜視図
【図２９】上食器かご右の右側面図
【符号の説明】
【００４６】
図面中、１は本体、１４は洗浄槽、１７は槽飾り、２３は上部ノズル、２６は給水口、３１は弁部材（弁手段）、４０は下食器かご、４２はかご支え左（かご支え）、４３は取付ねじ、４４はかご支え右（かご支え）、４５はかご支え中（かご支え）、５０はかご支持部、５１は横片部、５２は突条部、５５は係合突起（かご移動防止手段）、６０はかご支持部、６２は突条部、５３，６３，６６は開口部、７０は上食器かご左（食器かご）、７１は食器かご中（食器かご）、７２は上食器かご右（食器かご）、７５は係合凸部、７６は係合突起（かご移動防止手段）、７７は閉塞部、８０はかご用水案内部、８１は接続口、８２は水案内路、８３は噴射口、８４は接続案内部、８５は溝部、８６は蓋部材、８７は排水口、９０は手掛け部、９１は上部壁、９２は開口部、９３は飾り板、９５は引掛け片、９６は折曲げ片、１００はリブ、１０５は係合凸部、１０６は閉塞部、１１０は係合凸部、１１１は閉塞部を示す。
【図１】
2006000189.tif 000003
【図２】
2006000189.tif 000004
【図３】
2006000189.tif 000005
【図４】
2006000189.tif 000006
【図５】
2006000189.tif 000007
【図６】
2006000189.tif 000008
【図７】
2006000189.tif 000009
【図８】
2006000189.tif 000010
【図９】
2006000189.tif 000011
【図１０】
2006000189.tif 000012
【図１１】
2006000189.tif 000013
【図１２】
2006000189.tif 000014
【図１３】
2006000189.tif 000015
【図１４】
2006000189.tif 000016
【図１５】
2006000189.tif 000017
【図１６】
2006000189.tif 000018
【図１７】
2006000189.tif 000019
【図１８】
2006000189.tif 000020
【図１９】
2006000189.tif 000021
【図２０】
2006000189.tif 000022
【図２１】
2006000189.tif 000023
【図２２】
2006000189.tif 000024
【図２３】
2006000189.tif 000025
【図２４】
2006000189.tif 000026
【図２５】
2006000189.tif 000027
【図２６】
2006000189.tif 000028
【図２７】
2006000189.tif 000029
【図２８】
2006000189.tif 000030
【図２９】
2006000189.tif 000031